(57)【要約】【課題】所定の情報が記録された記録メディアが紛失或いは盗難される事態が発生した場合でも情報が漏洩せず、高いセキュリティを維持することができる情報記録方法及び情報記録装置を提供する。【解決手段】デジタルカメラ１０ではＩＤが記憶されたスマートメディア３０が装着された状態で乱数が生成され、その乱数がＲＡＭ４６に記録されると共に、第１暗号キーとしてスマートメディア３０に記録される。スマートメディア３０は、デジタルカメラ１０から取り外されパソコン６０に装着される。パソコン６０では、スマートメディア３０に記録された第１暗号キー及びスマートメディアのＩＤ（第２暗号キー）を用いて、デジタルカメラ１０を設定するための情報が暗号化され、スマートメディア３０に記録されると共に、スマートメディア３０に記録された第１暗号キーは削除される。【選択図】　図１
2004086314.tif 000002
【特許請求の範囲】
【請求項１】
取り外し可能で且つ固有のデータが記憶された記録メディアが第１電子機器に装着された状態で、前記第１電子機器に固有のデータを第１暗号キーとして前記記録メディアに記録し、
前記第１暗号キーが記録された前記記録メディアが前記第１電子機器から取り外されて第２電子機器に装着された状態で、前記記録メディアに記憶された前記記録メディアに固有のデータを第２暗号キーとして、前記第１暗号キー及び前記第２暗号キーを用いて所定の情報を暗号化し、暗号化した所定の情報を前記記録メディアに記録すると共に、前記記録メディアに記録された前記第１暗号キーを消去する
情報記録方法。
【請求項２】
前記第１電子機器に固有のデータは、前記第１電子機器で生成された乱数である請求項１記載の情報記録方法。
【請求項３】
前記第１電子機器のバッテリの残量が所定値以下になった場合又は第１電子機器の電源がオフされた場合に、前記第１電子機器に固有のデータを前記第１電子機器から消去する請求項１又は請求項２記載の情報記録方法。
【請求項４】
前記第１電子機器のバッテリに前記第１電子機器専用の充電器が接続された場合に、前記第１電子機器のバッテリを充電する請求項３記載の情報記録方法。
【請求項５】
情報記録装置本体に固有のデータを記録した内部メモリと、取り外し可能で且つ固有のデータが記憶された記録メディアが情報記録装置本体に装着された状態で、前記情報記録装置本体に固有のデータを第１暗号キーとして前記記録メディアに記録する記録手段と、
前記記録メディアに固有のデータを第２暗号キーとして、前記第１暗号キー及び前記第２暗号キーを用いて暗号化された所定の情報が記録され、且つ前記記録手段により記録された第１暗号キーが消去された記録メディアが装着された状態で、前記内部メモリに記録された固有のデータを第１暗号キーとすると共に、前記記録メディアに記憶された固有のデータを第２暗号キーとして、該第１暗号キー及び該第２暗号キーを用いて前記記録メディアに記録された暗号化された所定の情報を復号化する復号化手段と、
を含む情報記録装置。
【請求項６】
前記情報記録装置本体のバッテリの残量が所定値以下になった場合又は前記情報記録装置本体の電源がオフされた場合に、前記内部メモリに記録された固有のデータを消去する消去手段を更に含む請求項５記載の情報記録装置。
【請求項７】
前記情報記録装置本体のバッテリに接続された充電器が前記情報記録装置本体専用の充電器であるか否かを判断する判断手段と、
前記判断手段により前記情報記録装置本体のバッテリに接続された充電器が前記情報記録装置本体専用の充電器であると判断された場合に、前記充電器により前記バッテリに充電されるよう制御する制御手段と、
を更に含む請求項６記載の情報記録装置。
【発明の詳細な説明】
【０００１】
【発明の属する技術分野】
本発明は、所定の情報を暗号化して記録メディアに記録する情報記録方法及び暗号化された情報を復号化する機能を備えた情報記録装置に関するものである。
【０００２】
【従来の技術】
近年、インターネット環境の発達に伴い、デジタルカメラ等の撮像装置（以下、デジタルカメラ）を携帯電話と無線或いは有線にて接続し、デジタルカメラで撮影した画像を携帯電話経由でサーバへアップロードするケースが急速に増加している。また、デジタルカメラに通信機能が備わるなど高機能化が進んでおり、通信機能を備えたデジタルカメラから直接ネットワークにアクセスすることが可能な状況となっている。
【０００３】
携帯電話経由でアクセスする場合或いは直接アクセスする場合の双方において、通信処理を行うにはデジタルカメラに多くの設定情報を入力する必要がある。例えば、デジタルカメラから携帯電話経由でサーバへダイヤルアップする場合には、デジタルカメラに接続先の電話番号、アカウント、パスワード等、インターネットに関する種々の項目を設定する必要がある。
【０００４】
このような設定情報を入力する方法としては、デジタルカメラに設けられたユーザインタフェースを通して直接入力する方法が挙げられる。
【０００５】
また、パソコン等で設定情報を入力してその設定情報をスマートメディア等の取り外し可能な記録メディアに記録し、その記録メディアをデジタルカメラに装着して記録されている設定情報を読み出すことにより入力する方法も広く行われている。
【０００６】
しかしながら、設定情報には、上述したようにアカウントやパスワード等、様々な個人情報が含まれているため、設定情報を記録した記録メディアが紛失したり盗まれたりした場合、これらの情報が漏洩し、不正に使用される恐れがある。具体的には、記録メディアに記録された設定情報を解析し、解析の結果得られた個人情報を別途不正に使用したり、記録メディアに記録された他人の設定情報を自分用の設定情報として使用したりする等である。
【０００７】
また、記録メディアの紛失や盗難に限らず、記録メディアが別の記録メディアにコピーされた場合であっても、同様に設定情報が不正に使用される恐れがある。更にまた、デジタルカメラ自体が紛失或いは盗まれた場合であっても、同様である。
【０００８】
このような問題を解決するために、セキュリティを向上させるための様々な技術が提案されている。
【０００９】
例えば、特開平１０−２１０１９９号公報には、デジタルカメラ等により得られた画像データをホストコンピュータでプリントする場合、そのプリントデータの受取時の認証に暗証番号を使用することによりプリントデータの不正な受取を防止するデジタル写真受取機が開示されている。
【００１０】
特開平１０−２５７４１６号公報には、記録した画像データを他の機器に送信する際、暗号化して送信することにより特定の機器以外での画像データの閲覧を防止する電子撮像装置および電子撮像システムが開示されている。
【００１１】
特開平１１−１４３８３８号公報には、記録媒体に記録されたユーザＩＤを読み取り、読み取ったＩＤに応じて計算機の使用環境を変更するユーザ適応型可変環境システムが開示されている。
【００１２】
特開２０００−２６１７９６号公報には、画像データをカメラ識別子と暗証番号を用いて暗号化して記録することにより、特定のカメラ信号の再生表示を制限する映像信号処理装置が開示されている。
【００１３】
【発明が解決しようとする課題】
しかしながら、これら従来の技術は、上述のような個人情報が記録された記録メディアの紛失や盗難、更にはデジタルカメラの紛失や盗難を想定した情報漏洩を防止するための手段を何ら有しておらず、個人情報等が漏洩して不正使用される危険を防止することはできないという問題がある。
【００１４】
本発明は上記問題点を解決するためになされたもので、情報が記録された記録メディアが紛失或いは盗難される事態が発生した場合でも情報が漏洩せず、高いセキュリティを維持することができる情報記録方法及び情報記録装置を提供することを目的とする。
【００１５】
【課題を解決するための手段】
上記目的を達成するために、請求項１記載の発明の情報記録方法は、取り外し可能で且つ固有のデータが記憶された記録メディアが第１電子機器に装着された状態で、前記第１電子機器に固有のデータを第１暗号キーとして前記記録メディアに記録し、前記第１暗号キーが記録された前記記録メディアが前記第１電子機器から取り外されて第２電子機器に装着された状態で、前記記録メディアに記憶された前記記録メディアに固有のデータを第２暗号キーとして、前記第１暗号キー及び前記第２暗号キーを用いて所定の情報を暗号化し、暗号化した所定の情報を前記記録メディアに記録すると共に、前記記録メディアに記録された前記第１暗号キーを消去する。
【００１６】
これにより、記録メディアには第１電子機器に固有のデータが第１暗号キーとして記録される。記録メディアが第２電子機器に装着された状態で、記録メディアに固有のデータが第２暗号キーとされ、第２暗号キー及び記録メディアに記録された第１暗号キーの双方が用いられて所定の情報が暗号化され、記録メディアに記録されると共に、記録メディアから第１暗号キーが消去される。このように、第１暗号キーが記録メディアから消去されるため、暗号化に用いられた第１暗号キーは、第１電子機器にのみ存在することとなる。このため、第１電子機器以外の機器では記録メディアに記録された暗号化された情報を復号化できない。よって、記録メディアに記録された情報は外部に漏洩せず、セキュリティが格段に向上する。
【００１７】
また、複数人が第１電子機器を共有する場合であっても、第２暗号キーは記録メディアに固有のデータであるため、各人が使用する記録メディアを異ならせれば、共有者間で他人の情報を不正に使用することはできず、セキュリティを高く維持することができる。
【００１８】
なお、記録メディアから第１暗号キーを消去するタイミングは、暗号化前であっても暗号化後であってもよく、記録メディアから第１暗号キーを読み出した後、記録メディアが第２電子機器から取り外されるまでの間であれば、どのタイミングで消去されてもよい。
【００１９】
なお、第１電子機器は、デジタルカメラ等の撮像装置やデジタルカメラを備えた携帯電話であってもよいし、他の電子機器であってもよい。また、第２電子機器は、パソコンであってもよいし、ＰＤＡ等の携帯端末であってもよく、特に限定されない。更に、記録メディアは、スマートメディアやメモリスティック等の取り外し可能な記録メディアであれば、どのようなメディアでもよい。
【００２０】
所定の情報は、ネットワーク上のサーバにダイヤルアップするためのアカウントナンバーや接続先電話番号等の情報を用いることができる。
【００２１】
第１電子機器に固有のデータは、例えば、第１電子機器の識別情報、例えば、予め第１電子機器に割り当てられているシリアルナンバーを用いてもよいし、第１電子機器において生成されたデータ、好ましくは請求項２記載の発明のように、第１電子機器で生成された乱数であってもよい。同様に、第２暗号キーである記録メディアに固有のデータについても、シリアルナンバーのような記録メディアの識別情報等を用いることができる。
【００２２】
第１電子機器に固有のデータとして乱数を用いることにより、複数人が同一の第１電子機器を共有する場合や、同一人が複数の情報を利用する場合に、各々に応じて乱数を生成することにより各々異なる第１暗号キーを生成できるため、複数の情報を区別して暗号化でき、セキュリティが向上する。
【００２３】
請求項３記載の発明は、前記請求項２記載の発明において、前記第１電子機器のバッテリの残量が所定値以下になった場合又は第１電子機器の電源がオフされた場合に、前記第１電子機器に固有のデータを前記第１電子機器から消去するようにしたものである。
【００２４】
請求項３に記載の発明によれば、第１電子機器自体が盗難にあった場合でも、盗難後に例えばバッテリが切れたり電源がオフされれば、第１電子機器から第１暗号キーが消去されるため、情報が不正使用される時間を大幅に縮小することができる。
【００２５】
請求項４記載の発明は、前記請求項３記載の発明において、前記第１電子機器のバッテリに前記第１電子機器専用の充電器が接続された場合に、前記第１電子機器のバッテリを充電するようにしたものである。
【００２６】
請求項４に記載の発明によれば、充電器が第１電子機器専用の充電器でなければ、第１電子機器のバッテリは充電されない。これにより、第１電子機器自体が盗難にあった場合でも、専用の充電器が無ければ、バッテリの残量が所定値以下となった時点で、それ以降不正使用ができなくなるため、不正使用可能な時間を大幅に縮小することができる。
【００２７】
請求項５記載の発明の情報記録装置は、情報記録装置本体に固有のデータを記録した内部メモリと、取り外し可能で且つ固有のデータが記憶された記録メディアが情報記録装置本体に装着された状態で、前記情報記録装置本体に固有のデータを第１暗号キーとして前記記録メディアに記録する記録手段と、前記記録メディアに固有のデータを第２暗号キーとして、前記第１暗号キー及び前記第２暗号キーを用いて暗号化された所定の情報が記録され、且つ前記記録手段により記録された第１暗号キーが消去された記録メディアが装着された状態で、前記内部メモリに記録された固有のデータを第１暗号キーとすると共に、前記記録メディアに記憶された固有のデータを第２暗号キーとして、該第１暗号キー及び該第２暗号キーを用いて前記記録メディアに記録された暗号化された所定の情報を復号化する復号化手段と、を含んで構成されている。
【００２８】
請求項５に記載の発明の内部メモリには、情報記録装置本体に固有のデータが記録される。記録手段は、取り外し可能で且つ固有のデータが記憶された記録メディアが情報記録装置本体に装着された状態で、情報記録装置本体に固有のデータを第１暗号キーとして記録メディアに記録する。記録メディアには、第１暗号キーが記録されているため、例えば、パソコン等に装着して、情報記録装置本体に固有のデータである第１暗号キー及び記録メディアに固有のデータである第２暗号キーを用いて所定の情報を暗号化して記録メディアに記録することができる。このとき、記録された第１暗号キーは記録メディアから消去される。
【００２９】
その記録メディアが情報記録装置に装着された状態で、復号化手段は、内部メモリに記録された固有のデータを第１暗号キーとすると共に、装着された記録メディアに記憶された固有のデータを第２暗号キーとして、第１暗号キー及び第２暗号キーを用いて記録メディアに記録された暗号化された所定の情報を復号化する。
【００３０】
これにより、情報記録装置本体に固有のデータ及び記録メディアに固有のデータを暗号キーとして暗号化されて記録メディアに記録された情報は、第１暗号キーを記録した情報記録装置でのみ復号化することができる。すなわち、第１暗号キーは記録メディアから消去されているので、記録メディアが盗難されても例えば他の撮像機器では復号化ができない。よって、記録メディアの紛失及び盗難が発生しても、セキュリティが保たれ得る。
【００３１】
なお、情報記録装置本体に固有のデータは、例えば、情報記録装置本体の識別情報、例えば予め情報記録装置本体に割り当てられているシリアルナンバーを用いてもよいし、情報記録装置本体において生成されたデータ、好ましくは情報記録装置本体で生成された乱数であってもよい。同様に、第２暗号キーである記録メディアに固有のデータについても、シリアルナンバーのような記録メディアの識別情報等を用いることができる。
【００３２】
請求項６記載の発明は、前記請求項５記載の発明において、前記情報記録装置本体のバッテリの残量が所定値以下になった場合又は前記情報記録装置本体の電源がオフされた場合に、前記内部メモリに記録された固有のデータを消去する消去手段を更に含んで構成されている。
【００３３】
請求項６に記載の発明によれば、情報記録装置本体のバッテリの残量が所定値以下となった場合又は情報記録装置本体の電源がオフされた場合に、内部メモリに記録された第１暗号キーを消去するので、情報記録装置が盗難にあった場合でも、バッテリの残量が所定値以下となった場合や情報記録装置の電源がオフされた場合に、その情報記録装置で記録メディアに記録された暗号化された情報を復号化することはできなくなるため、不正使用される時間を大幅に縮小することができる。
【００３４】
請求項７記載の発明は、前記請求項６記載の発明において、前記情報記録装置本体のバッテリに接続された充電器が前記情報記録装置本体専用の充電器であるか否かを判断する判断手段と、前記判断手段により前記情報記録装置本体のバッテリに接続された充電器が前記情報記録装置本体専用の充電器であると判断された場合に、前記充電器により前記バッテリに充電されるよう制御する制御手段と、を更に含んで構成されている。
【００３５】
請求項７に記載の発明の判断手段は、情報記録装置本体のバッテリに接続された充電器が情報記録装置本体専用の充電器であるか否かを判断する。制御手段は、判断手段により充電器が情報記録装置本体専用の充電器であると判断された場合に充電器によりバッテリに充電されるよう制御する。これにより、充電器が情報記録装置本体専用の充電器でなければ、情報記録装置本体のバッテリは充電されないので、情報記録装置自体が盗難にあった場合でも、バッテリの残量が所定値以下となれば、それ以降不正使用はできなくなるため、不正使用可能な時間を大幅に縮小することができる。
【００３６】
【発明の実施の形態】
以下、図面を参照して、本発明の実施の形態について詳細に説明する。
【００３７】
なお、以下では、本発明を、デジタルカメラを設定するための設定情報を暗号化してスマートメディアに記録する方法に適用した場合について説明する。
【００３８】
図１は、第１の実施の形態の全体構成を模式的に示した図である。
【００３９】
通信網８２には、携帯電話７０と通信網８２との無線通信を仲介する基地局８０が接続されている。通信網８２とネットワーク９０とは図示されないゲートウェイシステムによって相互接続されている。
【００４０】
また、ＩＤが記憶され、且つデジタルカメラ１０から取り外し可能なスマートメディア等の記録メディア（以下、スマートメディア）３０と、デジタルカメラ１０が携帯電話７０を介して通信処理を行うための設定情報（例えば、接続先の電話番号、アカウント、及びパスワード等の、ネットワーク９０への接続に関する種々の情報）を暗号化してスマートメディア３０に記録するためのパソコン６０が設けられている。
【００４１】
図２に示されるように、デジタルカメラ１０には、光学レンズ１２と、光学レンズ１２を通過した被写体像を示す入射光に基づき、被写体を撮像して被写体像を示すＲ、Ｇ、Ｂ３色のカラーアナログ画像信号を出力する撮像素子としてのＣＣＤ（Ｃｈａｒｇｅ　Ｃｏｕｐｌｅｄ　Ｄｅｖｉｃｅ）１６とが設けられている。
【００４２】
ＣＣＤ１６には、ＣＣＤ１６により入力された画像信号に対して所定のアナログ信号処理を施すアナログ信号処理部１８と、アナログ信号処理部１８から入力されたアナログ信号をそれぞれデジタル信号に変換するアナログ／デジタル変換器（以下、「Ａ／Ｄ変換器」という。）２０とが順に接続されている。
【００４３】
また、光学レンズ１２を駆動するための駆動部２２と、ＣＣＤ１６に対する撮影時のタイミング制御を行うＣＣＤ制御部２４と、ストロボ５０の発光の制御を行うストロボ制御部４８と、シャッタスイッチ等のカメラ操作部５２とが設けられている。
【００４４】
Ａ／Ｄ変換器２０から出力されたデジタル信号（Ｒ、Ｇ、Ｂ信号のデジタル値）は、制御回路４０（詳細は後述）に入力されると共に、デジタル信号処理回路２６に入力される。デジタル信号処理回路２６は、図示されない合成処理回路と、ホワイトバランス調整処理回路と、ガンマ処理回路とから構成され、各種デジタル信号処理を行う。
【００４５】
デジタル信号処理回路２６から出力されたＲＧＢ信号は記録メディアインタフェース（Ｉ／Ｆ）５４を介してスマートメディア３０に記録されると共に、液晶ディスプレイ２８に表示される。また、装着されたスマートメディア３０に上述したような通信処理に必要な設定情報が記録されている場合には、その設定情報が記録メディアＩ／Ｆ５４を介して制御回路４０に入力される。
【００４６】
更に、デジタルカメラ１０には、携帯電話７０と接続するための通信機器Ｉ／Ｆ５６が設けられており、携帯電話７０は、通信機器Ｉ／Ｆ５６にケーブルを介して接続されている。なお、この通信機器Ｉ／Ｆ５６は、Ｂｌｕｅｔｏｏｔｈ等の無線接続インタフェースであってもよい。
【００４７】
また、デジタルカメラ１０には、充電器等から蓄電してデジタルカメラ１０の各部に電力を供給するためのバッテリ５８と、充電器とバッテリ５８とを接続するためのコネクタ３６と、充電器及びバッテリ５８の間に設けられ、充電器からバッテリ５８への充電をＯＮ／ＯＦＦするためのスイッチ３４とが設けられている。
【００４８】
更に、デジタルカメラ１０には、乱数を発生させる乱数発生器３２が設けられている。
【００４９】
制御回路４０は、ＣＰＵ（中央演算処理装置）４２と、ＲＯＭ４４と、ＲＡＭ４６とを備えたマイクロコンピュータで構成され、デジタルカメラ１０全体の動作を制御する。ＲＡＭ４６には、デジタルカメラ１０の各種設定情報を記憶するための設定テーブルが設けられる。ＲＯＭ４４には、第１暗号キーの生成及び記録処理と暗号化されてスマートメディア３０に記録された設定情報の復号化処理を行う処理ルーチンのプログラムが記憶されている。
【００５０】
図３に示されるように、パソコン６０は、ＣＰＵ（中央演算処理装置）６２と、ＲＯＭ６４と、ＲＡＭ６６とにより構成されている。ＲＯＭ６４には、各種設定情報を暗号化してスマートメディア３０に記録する処理ルーチンのプログラムが記憶されている。ＣＰＵ６２は、このプログラムに従って、記録メディアＩ／Ｆ６８を介してスマートメディア３０に対する書込み或いは読出し処理を行う。
【００５１】
以下、図４及び図５のフローチャートを用いて、本実施の形態の処理ルーチンの詳細を説明する。
【００５２】
ステップ１００で、デジタルカメラ１０において、デジタルカメラ１０で撮影した画像を携帯電話７０経由でネットワーク９０上のサーバにアップロードするためのサーバ接続処理が操作者により選択されたか否かが判断される。サーバ接続処理が選択されていない場合には、ステップ１０２にて、スマートメディア３０（図ではメディアと表記）がデジタルカメラ１０に挿入されているか否かが判断される。挿入されている場合には、ステップ１０４で、乱数発生器３２により乱数が発生される。
【００５３】
ステップ１０６にて、その乱数がＲＡＭ４４に記憶されると共に、スマートメディア３０に第１暗号キーとして記録される。この後、ステップ１０８でバッテリ５８の残量が所定値以下（バッテリ切れ）か否かが判断され、所定値以下の場合には、ステップ１１０にてＲＡＭ４４に記録された乱数が自動的に消去される。なお、乱数は、記憶保持動作が必要なＲＡＭ４６に記録したため、バッテリ５８の残量が所定値以下となった場合だけでなく、デジタルカメラ１０の電源がオフされた場合でも自動的に消去される。
【００５４】
次に、パソコン６０における設定情報の暗号化処理ルーチンについて、図５のフローチャートを用いて詳細に説明する。
【００５５】
ステップ２００で、パソコン６０のドライブにスマートメディア３０が挿入されているか否かが判断される。挿入されていると判断された場合には、ステップ２０２にて、ネットワーク９０上のサーバにアクセスするために必要な、接続先の電話番号、アカウント、及びパスワード等の各種設定情報が操作者により入力されているか否かが判断される。入力されている場合には、ステップ２０４で、スマートメディア３０に第１暗号キーが記録されているか否かが判断された後、記憶されていれば、スマートメディア３０に記録されている第１暗号キーが読み取られる。
【００５６】
次にステップ２０６で、スマートメディア３０に予め記憶されているスマートメディア３０固有のＩＤが第２暗号キーとして読み取られる。ステップ２０８では、読み取られた第１暗号キーと第２暗号キーとを用いて、既に入力済みの設定情報が暗号化される。ステップ２１０では、暗号化された設定情報が、スマートメディア３０に記録され、ステップ２１２で、スマートメディア３０に記録されている第１暗号キーが消去される。
【００５７】
次に、デジタルカメラ１０の制御回路４０における復号化及びネットワーク接続設定処理について、図４のステップ１００で、デジタルカメラ１０のサーバ接続処理が操作者により選択されたと判断されると、ステップ１２０にて、サーバとの接続に必要な設定情報がデジタルカメラ１０のＲＡＭ４６の設定テーブルに全て設定されているか否かが判断される。ステップ１２２にて設定済みであると判断された場合には、ステップ１４０のサーバ接続処理が実行される。
【００５８】
ステップ１２２で設定済みでないと判断された場合には、ステップ１２４で、スマートメディア３０がデジタルカメラ１０に挿入されているか否かが判断される。スマートメディア３０が挿入されている場合には、ステップ１２６でスマートメディア３０に暗号化された設定情報が記録されているか否かが判断される。暗号化された設定情報が記録されていれば、次にステップ１２８で、バッテリ５８の残量が所定値以下であるか否かが判断される。バッテリ５８の残量が所定値以下であれば、ステップ１３０にてＲＡＭ４６に記録された第１暗号キーが消去される。なお、ステップ１０８と同様、バッテリ５８の残量が所定値以下となった場合だけでなく、デジタルカメラ１０の電源がオフされた場合でも第１暗号キーは自動的に消去される。
【００５９】
ステップ１２８で、バッテリ５８の残量が所定値以下でないと判断された場合には、次にステップ１３２にてＲＡＭ４６に記録された第１暗号キーが読み出される。更にステップ１３４で、挿入されているスマートメディア３０に記憶されているＩＤ（第２暗号キー）が読み出される。ステップ１３６では、第１暗号キー及び第２暗号キーを用いて、スマートメディア３０に記録されている暗号化された設定情報が復号化される。
【００６０】
ステップ１３８では、復号化された設定情報が、ＲＡＭ４６の設定テーブルに記録され、デジタルカメラ１０の通信機能の設定が行われる。設定が済むと、ステップ１４０にて、デジタルカメラ１０のサーバ接続処理が実行され、デジタルカメラ１０で設定された設定情報に基づき、携帯電話７０経由でデジタルカメラ１０で撮影した画像がネットワーク９０上のサーバにアップロードされる。
【００６１】
このように、第１の実施の形態の情報記録方法及びデジタルカメラ１０によれば、デジタルカメラ１０に固有のデータ（乱数）と、スマートメディア３０に固有のデータ（スマートメディアのＩＤ）とを用いて設定情報を暗号化して記録し、それと共にスマートメディア３０に記録されたデジタルカメラ１０に固有のデータを消去するようにしたため、スマートメディア３０が盗難された場合でも、スマートメディア３０に記録された設定情報の復号化は第１暗号キーを生成したデジタルカメラ１０以外の電子機器では不可能となる。これにより、設定情報が漏洩せず、不正使用を防止することができる。
【００６２】
上述した第１の実施の形態の構成に加え、デジタルカメラ１０を充電する充電器をデジタルカメラ１０専用の充電器とすることで更にセキュリティを向上させた第２の実施の形態について以下に説明する。
【００６３】
図６は、デジタルカメラ１０とデジタルカメラ１０専用のＡＣアダプタ（充電器）９２とからなる第２の実施の形態の構成を示している。ＡＣアダプタ９２には、デジタルカメラ１０のＩＤ（シリアルナンバー）と１対１で対応するＡＣアダプタＩＤを記憶するメモリ９４が設けられている。デジタルカメラ１０のスイッチ３４がオフされた状態でコネクタ３６にＡＣアダプタ９２が接続されると、ＡＣアダプタＩＤがメモリ９４からコネクタ３６を介して制御回路４０に読み出され、デジタルカメラ１０のＩＤと照合される。照合のためのデータは、デジタルカメラ１０のＲＯＭ４４に記憶されている。
【００６４】
照合の結果、ＩＤが一致し、ＡＣアダプタ９２がデジタルカメラ１０専用のＡＣアダプタであると判断されると、スイッチ３４がオンされ、ＡＣアダプタ９２からバッテリ５８に充電が開始される。照合の結果、ＡＣアダプタ９２がデジタルカメラ１０専用のＡＣアダプタでないと判断された場合には、スイッチ３４はオフされたままで充電は開始されない。従って、デジタルカメラ１０が盗難された場合であっても、専用のＡＣアダプタ以外では充電されないため、不正使用の被害を少なくすることができる。
【００６５】
なお、上述した第２の実施の形態では、デジタルカメラ１０とＡＣアダプタ９２のＩＤを照合することにより専用のＡＣアダプタであるか否かを判断する例について説明したが、以下に示す第３の実施の形態のように、ＡＣアダプタがバーコードＩＤを有し、デジタルカメラ１０がそのバーコードを撮像して照合することによって、デジタルカメラ１０専用のＡＣアダプタか否かを判断するようにしてもよい。
【００６６】
図７に示されるように、ＡＣアダプタ９６にはバーコードＩＤ９８が付されている。デジタルカメラ１０のスイッチ３４がオフされた状態でコネクタ３６にＡＣアダプタ９６が接続されると、デジタルカメラ１０によりバーコードＩＤ９８が撮像される。撮像されたバーコードＩＤ９８はデジタル変換されて解析され、解析の結果得られたバーコードの値とＲＯＭ４４に予め格納されているデジタルカメラ１０専用のＡＣアダプタの値とが照合される。撮像されたバーコードの値とＲＯＭ４４の値とが一致した場合には、そのＡＣアダプタ９６がデジタルカメラ１０専用のＡＣアダプタであると判断され、スイッチ３４がオンされてＡＣアダプタ９６からデジタルカメラ１０のバッテリ５８に充電が開始される。照合の結果、ＡＣアダプタ９２がデジタルカメラ１０専用のＡＣアダプタでないと判断された場合には、スイッチ３４はオフされたままで充電は開始されない。従って、このような構成によっても、同様に不正使用の被害を少なくすることができる。
【００６７】
なお、上述した第１の実施の形態では、スマートメディア３０に記録された第１暗号キーを消去するタイミングは、パソコン６０で暗号化した設定情報をスマートメディア３０に記録した後としたが、記録メディアから第１暗号キーを読み出した後、記録メディアが第２電子機器から取り外されるまでの間であれば、どのタイミングで消去されてもかまわない。
【００６８】
また、バッテリ５８の残量が所定値以下となったか否かを判断するタイミングは、上述した第１の実施の形態において示されたタイミングに限定されず、制御回路４０が常時監視し、判断するようにしてもよい。
【００６９】
また、上述した第１の実施の形態では、デジタルカメラ１０で発生させた乱数を第１暗号キーとしたが、予めデジタルカメラに記録されているシリアルナンバー等のＩＤを第１暗号キーとしても良く、第１暗号キーはデジタルカメラ１０に固有のデータであれば、特に限定されない。
【００７０】
また、上述した第１の実施の形態では、サーバ接続処理選択時、デジタルカメラ１０内部に設定情報が設定済みである場合には、再設定を行わなかったが、機能実行の度に設定を行うようにしてもよい。
【００７１】
更にまた、デジタルカメラ１０で発生させた乱数を数回分保持しておき、それらを用いて順次暗号キーを生成し、暗号化するようにしてもよい。例えば、プロバイダを複数利用する場合には、第１暗号キーを複数生成し、スマートメディア毎に第１暗号キーを異ならせる。記録されるプロバイダ情報も、スマートメディア毎に異ならせておく。暗号化された設定情報をデジタルカメラ１０に設定する場合には、順次生成した乱数を読み出していき、順次復号化処理を施し、復号化できた場合にはその設定情報をデジタルカメラ１０に設定するようにする。
【００７２】
なお、本発明は上記デジタルカメラに限られるものではなく、様々な情報記録装置や電子機器に適用可能である。
【００７３】
【発明の効果】
以上説明した如く本発明によれば、情報が記録された記録メディアが紛失或いは盗難される事態が発生した場合であっても情報が漏洩せず、高いセキュリティを維持することができることができるという優れた効果を奏する。
【図面の簡単な説明】
【図１】第１の実施の形態の全体構成を模式的に示した図である。
【図２】デジタルカメラの構成を示したブロック図である。
【図３】パソコンの構成を示したブロック図である。
【図４】デジタルカメラの制御回路における第１暗号キー生成処理及び復号化処理の流れを示したフローチャートである。
【図５】パソコンにおける暗号化処理の流れを示したフローチャートである。
【図６】第２の実施の形態の全体構成を模式的に示した図である。
【図７】第３の実施の形態の全体構成を模式的に示した図である。
【符号の説明】
１０　デジタルカメラ（第１電子機器、情報記録装置）
３０　スマートメディア（記録メディア）
３２　乱数発生器
３４　スイッチ
３６　コネクタ
４０　制御回路（記録手段、復号化手段、消去手段、判断手段、制御手段）
４２　ＣＰＵ
４４　ＲＯＭ
４６　ＲＡＭ（内部メモリ）
５４　記録メディアＩ／Ｆ
５８　バッテリ
６０　パソコン（第２電子機器）
６２　ＣＰＵ
６４　ＲＯＭ
６６　ＲＡＭ
６８　記録メディアＩ／Ｆ
７０　携帯電話
９２、９６　ＡＣアダプタ（充電器）
【図１】
2004086314.tif 000003
【図２】
2004086314.tif 000004
【図３】
2004086314.tif 000005
【図４】
2004086314.tif 000006
【図５】
2004086314.tif 000007
【図６】
2004086314.tif 000008
【図７】
2004086314.tif 000009